(57)【要約】  視準ユニット、金属フィルム、透明ベース及び受信ユニットを含む可視光通信多重入出力（ＭＩＭＯ）システムの受信装置である。該受信装置は光学素子で受信し、且つ金属フィルムを主な受信素子として、フィルタリングと透過増強作用を果たし、電子部品によるフィルタリングと信号増幅の作用に相当する上に、電子部品の非線形効果を克服し、それにより受信波形歪みの問題を解決する。【選択図】図１
2016540406.tif 000002
【特許請求の範囲】
【請求項１】
可視光通信多重入出力ＭＩＭＯシステムの受信装置であって、視準ユニット、金属フィルム、透明ベース、及び受信ユニットを含み、
前記視準ユニットは、入射光を受信し、前記入射光を視準し、視準後の光を得て、出力した前記視準後の光を垂直に前記金属フィルムに入射させるように設定され、
前記金属フィルムは、前記視準後の光を受信し、前記視準後の光をフィルタリングし、フィルタリング後の光を得て、前記フィルタリング後の光を前記透明ベースに出力するように設定され、
前記透明ベースは、前記フィルタリング後の光を透過させるように設定され、
前記受信ユニットは、前記透明ベースにより透過された光を受信するように設定される可視光通信多重入出力ＭＩＭＯシステムの受信装置。
【請求項２】
前記視準ユニットは、凸レンズ、視野絞り、及びコリメータレンズを含み、
前記凸レンズは、前記入射光を受信し、前記入射光を焦点面に収束し、前記収束光を得るように設定され、
前記コリメータレンズは、前記収束光を受信し、前記収束光を平行光にするように設定され、
前記視野絞りは、前記凸レンズと前記コリメータレンズとの中間に位置し、且つ前記凸レンズの焦点面に位置し、前記入射光の視野を制限して、出力した前記平行光を前記視準後の光として前記金属フィルムに垂直に入射させるように設定される請求項１に記載の受信装置。
【請求項３】
前記金属フィルムにナノ孔の２次元配列が分布され、前記ナノ孔における任意の両点の距離が前記入射光の波長未満である請求項１に記載の受信装置。
【請求項４】
前記ナノ孔の形状は正方形、又は円形、又は三角形である請求項３に記載の受信装置。
【請求項５】
前記金属フィルムはＮ個の領域を含み、異なる領域でのナノ孔の形状、又は面積、又は周期が異なる請求項３に記載の受信装置。
【請求項６】
Ｎ個の前記領域のうち、同一の領域でのナノ孔の形状、面積、及び周期がいずれも同じである請求項５に記載の受信装置。
【請求項７】
前記金属フィルムの材料は金、又は銀である請求項３に記載の受信装置。
【請求項８】
前記受信ユニットは電荷結合素子ＣＣＤ２次元配列又は相補型金属酸化物半導体素子ＣＭＯＳ２次元配列であり、各々のＣＣＤ又はＣＭＯＳ画素は１つのナノ孔に対応する請求項３に記載の受信装置。
【発明の詳細な説明】
【技術分野】
【０００１】
本発明は可視光通信の技術分野に関し、特に可視光通信多重入出力（ＭＩＭＯ）システムの受信装置に関する。
【背景技術】
【０００２】
可視光通信は無線通信技術であり、周波数が３９０ＴＨｚ〜８５７ＴＨｚの可視光を通信媒体として情報伝送を完成する。
【０００３】
通信容量を向上させるために、無線電気通信も光ファイバー通信も、周波数分割多重化又は波長分割多重化技術の使用が一般的である。単一周波数通信に比べて、周波数分割多重化技術は多重周波数で信号を伝送する。各々の周波数の電磁波を１つの独立した信号キャリアとしてそれぞれ異なる信号を伝送することができるので、通信容量を大幅に向上させる。しかしながら、無線電気通信の周波数分割多重化では受信端にアンテナを配置して電磁波信号を受信して電磁波を電気信号に変換する必要があるため、情報の受信効果はアンテナの性能及びアンテナの位置に緊密に関わる。
【０００４】
従来、可視光通信ＭＩＭＯシステムにおいては大量の電子部品が使用され、チャネル内に非線形が存在する等の原因により、リンク間の干渉と波形歪みが発生しやすい。
【発明の概要】
【発明が解決しようとする課題】
【０００５】
本発明の実施例は可視光通信ＭＩＭＯシステムの受信装置を提供して、受信波形歪みの問題を解決することを目的とする。
【課題を解決するための手段】
【０００６】
上記技術的問題を解決するために、下記技術的解決手段が採用される。
【０００７】
可視光通信多重入出力ＭＩＭＯシステムの受信装置であって、視準ユニット、金属フィルム、透明ベース、及び受信ユニットを含み、
前記視準ユニットは、入射光を受信し、前記入射光を視準し、視準後の光を得て、出力した前記視準後の光を前記金属フィルムに垂直に入射させるように設定され、
前記金属フィルムは、前記視準後の光を受信し、前記視準後の光をフィルタリングして、フィルタリング後の光を得て、前記フィルタリング後の光を前記透明ベースに出力するように設定され、
前記透明ベースは、前記フィルタリング後の光を透過するように設定され、
前記受信ユニットは、前記透明ベースにより透過された光を受信するように設定される。
【０００８】
選択的に、前記視準ユニットは、凸レンズ、視野絞り、及びコリメータレンズを含み、
前記凸レンズは、前記入射光を受信し、前記入射光を焦点面に収束して、前記収束光を得るように設定され、
前記コリメータレンズは、前記収束光を受信し、前記収束光を平行光にするように設定され、
前記視野絞りは、前記凸レンズと前記コリメータレンズとの中間に位置し、且つ前記凸レンズの焦点面に位置し、前記入射光の視野を制限して、出力した前記平行光を前記視準後の光として前記金属フィルムに垂直に入射させるように設定される。
【０００９】
選択的に、前記金属フィルムにはナノ孔（ナノ細孔）の２次元配列が分布し、前記ナノ孔における任意の両点の距離が前記入射光波長未満である。
【００１０】
選択的に、前記ナノ孔の形状は正方形、又は円形、又は三角形である。
【００１１】
選択的に、前記金属フィルムはＮ個の領域を含み、異なる領域でのナノ孔の形状、又は面積、又は周期が異なる。
【００１２】
選択的に、Ｎ個の前記領域のうち、同一の領域でのナノ孔の形状、面積、及び周期はいずれも同じである。
【００１３】
選択的に、前記金属フィルムの材料は金、又は銀である。
【００１４】
選択的に、前記受信ユニットは電荷結合素子ＣＣＤ２次元配列又は相補型金属酸化物半導体素子ＣＭＯＳ２次元配列であり、各々のＣＣＤ又はＣＭＯＳ画素は一つのナノ孔に対応する。
【発明の効果】
【００１５】
本発明の実施例が表面プラズマに基づき提案する受信装置は、光学素子を使用して受信し、且つ金属フィルムを主な受信素子として、フィルタリングと透過増強作用を果たし、電子部品によるフィルタリング及び信号増幅作用に相当する上に、電子部品の非線形効果を克服し、それにより受信波形歪みの問題を解決する。
【００１６】
本発明の実施例の受信装置における画素レベルがナノスケールであるため、受信装置は体積が小さいという利点を有し、更に受信光波の周波数は主に検出素子により決められ、従来、検出素子、例えばＣＣＤ、ＣＭＯＳの検出範囲は可視光波段全体であり、そのため、本発明の実施例の受信装置は広帯域信号受信を実現する。
【図面の簡単な説明】
【００１７】
以下、本発明の実施例における図面を説明し、実施例における図面は本発明を更に理解しやすく、明細書とともに本発明を説明するためのものであり、本発明の保護範囲を制限するものではない。
【００１８】
【図１】図１は、本発明の実施例の受信装置の構成図である。
【図２】図２は、本発明の実施例の受信装置における視準ユニットの構成図である。
【図３】図３は、本発明の実施例の正方形ナノ孔の２次元配列模式図である。
【図４】図４は、本発明の実施例の金属フィルムの透過スペクトルである。
【符号の説明】
【００１９】
図において、１０１１は凸レンズ、１０１２は視野絞り、１０１３はコリメータレンズ、１０２は金属フィルム、１０３は透明ベース、１０４は受信ユニット、３０１はナノ孔である。
【発明を実施するための形態】
【００２０】
当業者が簡単に理解できるようにするために、以下、図面を参照しながら本発明を更に説明し、なお、本発明の実施例の保護範囲を制限するものではない。
【００２１】
図１は、本発明の実施例の受信装置の構成図であり、図１に示されるように、本発明の実施例の可視光通信ＭＩＭＯシステムの受信装置は、視準ユニット１０１、金属フィルム１０２、透明ベース１０３及び受信ユニット１０４を含む。
視準ユニット１０１は、入射光を受信し、入射光を視準し、出力した視準後の光を金属フィルムに垂直に入射させるように設定される。
金属フィルム１０２は、視準後の光を受信し、視準後の光をフィルタリングして、フィルタリング後の光を前記透明ベース１０３に出力するように設定される。
透明ベース１０３は、フィルタリング後の光を透過するように設定される。
受信ユニット１０４は、透明ベースにより透過された光を受信するように設定される。
【００２２】
本発明の実施例に使用される、金属フィルムによる視準後の光のフィルタリングは、Ｅｂｂｅｓｅｎ等により１９９８年に初めて実験により見出した、光波が穴を開けた銀フィルムを通過する時に異常光透過現象（ＥＯＴ−Ｅｘｔｒａｏｄｉｎａｒｙ  Ｏｐｔｉｃａｌ  Ｔｒａｎｓｍｉｓｓｉｏｎ）が存在するという報告に基づく。Ｅｂｂｅｓｅｎ等は一枚の石英を基板とする銀フィルムにおいて周期的な２次元サブ波長円孔配列を開け、孔径が入射波長の半分以下である時、特定波長内で光透過増強特性を示し、即ち「透過増強」と「フィルタリング」の２つの重要な光学特性を持ち、それにより従来の回折光学理論が挑戦される。Ｅｂｂｅｓｅｎはこの奇妙な局所増強透過現象を表面プラズモン効果（ＳＰｓ、Ｓｕｒｆａｃｅ  Ｐｌａｍｏｎｓ）として説明し、即ち金属膜の表面プラズモンポラリトン（ＳＰＰｓ、Ｓｕｒｆａｃｅ  Ｐｌａｓｍｏｎ  Ｐｏｌａｒｉｔｉｏｎｓ）の共鳴励起と結合によりこのような増強効果を引き起こし、金属で伝播する光波を表面波（ＳＰＷ、Ｓｕｒｆａｃｅ  Ｐｌａｓｍｏｎ  Ｗａｖｅ）と呼ぶ。従来、表面プラズモン共鳴（ＳＰＲ、Ｓｕｒｆａｃｅ  Ｐｌａｓｍｏｎ  Ｒｅｓｏｎａｎｃｅ）技術が発展するにつれて、ＳＰＲ技術は環境テスト、分析生化学、薬物研究・開発と食品監視分野に対して不可欠になる。
【００２３】
図２は、本発明の実施例の受信装置における視準ユニット１０１の構成図であり、図２に示されるように、視準ユニット１０１は凸レンズ１０１１、視野絞り１０１２及びコリメータレンズ１０１３を含む。
凸レンズ１０１１は、入射光を受信し、入射光を焦点面に収束するように設定される。
コリメータレンズ１０１２は、収束光を受信し、収束光を平行光にするように設定される。
視野絞り１０１３は、凸レンズとコリメータレンズとの中間に位置し、且つ凸レンズの焦点面に位置し、入射光の視野を制限して、出力した平行光を金属フィルムに垂直に入射させるように設定される。
【００２４】
金属フィルムには、周期的に配列されたナノ孔の２次元配列が分布し、ナノ孔のサイズは、ナノ孔における任意の両点の距離が入射光波長未満であることを満たす。
【００２５】
ナノ孔は任意の形状であってもよく、例えば正方形（図３を参照）、又は円形、又は三角形である。
【００２６】
周期性を有するナノ孔の２次元配列が増強透過を有する原因は、ＳＰＰｓの共鳴と励起の存在である。ＳＰＰｓ共鳴はＥｂｂｅｓｅｎ等により初めて提案して幅広く受け取られ、その物理画像は入射する電磁波と孔を開けた金属フィルムの表面における自由電子が孔配列逆格子ベクトルにより提供される運動量補正を利用して励起された表面のＳＰＰｓであり、これらの金属表面に拘束されたＳＰＰｓは孔チャンネルを介して金属フィルムの他端まで至り、次に逆的過程により電磁波を放射することで、電磁波のサブ波長透過を実現する。このメカニズムに基づき、ナノ孔の金属フィルムでの異なる配列方式は異なる逆格子ベクトルに対応し、そのため、ナノ孔の配列方式は直接にＳＰＰｓの共鳴ピーク位置を決める。
【００２７】
2016540406.tif 000003
【００２８】
2016540406.tif 000004
【００２９】
2016540406.tif 000005
【００３０】
2016540406.tif 000006
【００３１】
異なる周波数の光波を受信するために、金属フィルムにおけるナノ孔の２次元配列を複数の領域に分け、各領域には数千から数万のナノ孔が含まれることができ、異なる領域でのナノ孔配列におけるナノ孔は、形状、面積、又は周期が異なり、同じ領域範囲において、ナノ孔の２次元配列におけるナノ孔は、形状、面積及び周期がいずれも同じである。
【００３２】
金属フィルムの材料は、そのプラズマ周波数が入射光の周波数より大きいことを満たさなければならなく、そうでなければ、入射光は金属フィルムの表面で表面プラズモン波を形成できなく、例えば、金又は銀のプラズマ周波数が紫外線波帯にあるので、可視光が入射すると、その表面に表面プラズモン波が形成されることができ、且つ金と銀は性質が比較的安定し、酸化されにくいため、本発明では金属フィルムの材料として、金と銀が好ましい。
【００３３】
ナノ孔の２次元配列のナノ孔形状又は面積を変更することで透過ピークの波長を変更することができる。例えば、金属フィルムが銀で製造されて、厚みが３２０ナノメートル（ｎｍ）で、ナノ孔配列が辺長３２０ｎｍ、周期７５０ｎｍの正方形ナノ孔で構成される場合に、透過ピークの波長は８００ｎｍであり、金属フィルムの材料、厚み、ナノ孔形状、ナノ孔の２次元配列の周期が変化せず、ナノ孔の辺長を２４８ｎｍにする場合に、透過ピークの波長は７８０ｎｍであり、ナノ孔配列が直径２８０ｎｍの円形小孔で構成される場合に、透過ピーク波長は７５０ｎｍである。
【００３４】
同様に、ナノ孔の２次元配列の周期を変更することによっても透過ピークの波長を変更することができる。例えば、ナノ孔の２次元配列が周期５００ｎｍ、直径２５０ｎｍの円形ナノ孔で構成される場合に、透過ピークの波長は６３０ｎｍであり、周期が６００ｎｍで、他のパラメータがいずれも同じである場合に、透過ピークの波長は７１０ｎｍである。
【００３５】
透明ベースは透明材料で製造され、本発明の実施例では透明ベースの材料について限定がなく、透光性に優れた材料であればよく、例えば重合体ＰＭＭＡ又はＳｉＯ２が挙げられる。
【００３６】
受信ユニットはＣＣＤ２次元配列又は２次元ＣＭＯＳ配列を使用して実現することができ、各々のＣＣＤ又はＣＭＯＳ画素は一つのナノ孔に対応する。
【００３７】
図４は、金属フィルムの透過スペクトルであり、図４に示されるように、図４において横座標が波長、縦座標が光波透過率を示す。光信号が金属フィルムのナノ孔の２次元配列を透過する時に、特定周波数範囲における光信号を透過するが、該周波数範囲以外の光信号を遮断し、受信ユニットが最終的に異なる周波数の光信号を受信し、受信ユニットにより連続的で迅速に測定することで、各時刻での光の信号の大きさが得られ、受信ユニットは検出した各周波数光信号を電気信号に変換して、各サブチャネルに割り当てて伝送し、且つ復調器で復調し、それにより元の送信信号を取得する。
【００３８】
本発明の実施例が表面プラズモンに基づき提案する受信装置は、光学素子で受信し、且つ金属フィルムを主な受信素子として、フィルタリングと増強透過作用を果たし、電子部品によるフィルタリングと信号増幅作用に相当する上に、電子部品の非線形効果を克服し、それにより受信波形歪みの問題を解決する。
【００３９】
本発明の実施例の受信装置における画素レベルがナノメートルレベルであるため、受信装置は体積が小さいという利点を有し、且つ受信光波の周波数が主に検出素子により決められ、従来の検出素子、例えばＣＣＤ、ＣＭＯＳの検出範囲は可視光波帯全体であり、そのため、本発明の実施例の受信装置は広帯域信号受信を実現することができる。
【００４０】
なお、以上に記載の実施例は当業者が理解しやすいようにするためのものに過ぎず、本発明の保護範囲を制限するものではなく、本発明の主旨を脱逸しない限り、当業者により本発明に対して行う明らかな置換や改良等は全て本発明の保護範囲内に入られる。
【産業上の利用可能性】
【００４１】
本発明の実施例が表面プラズモンに基づき提案する受信装置は、光学素子で受信し、且つ金属フィルムを主な受信素子として、フィルタリングと増強透過作用を果たし、電子部品によるフィルタリングと信号増幅作用に相当する上に、電子部品の非線形効果を克服し、それにより受信波形歪みの問題を解決する。本発明の実施例の受信装置における画素レベルがナノメートルレベルであるため、受信装置は体積が小さいという利点を有し、且つ受信光波の周波数が主に検出素子により決められ、従来の検出素子、例えばＣＣＤ、ＣＭＯＳの検出範囲は可視光波帯全体であり、そのため、本発明の実施例の受信装置は広帯域信号受信を実現する。従って、本発明の産業上の利用可能性が高い。
【図１】
2016540406.tif 000007
【図２】
2016540406.tif 000008
【図３】
2016540406.tif 000009
【図４】
2016540406.tif 000010
【国際調査報告】
2016540406.tif 000011
2016540406.tif 000012
2016540406.tif 000013
2016540406.tif 000014